(57)【要約】【課題】プリンタ通過時にカールすることなく両面印刷をすることができ、その両面において優れた印字品質を得ることができ、しかも、貼着シートを有効に活用することができる名刺印刷用シートを提供する。【解決手段】名刺として切り取ることができるようにミシン目が設けられた両面印刷が可能な名刺印刷用シートであって、前記名刺印刷用シートは印字面の裏面側に粘着剤層を備える貼着シートと、前記貼着シートの粘着剤層に添着される離型シートとを有し、前記離型シートの前記貼着シートとの非添着面側に離型シート印字面を備えたことを特徴とする。【選択図】　図１
2004034473.tif 000002
【特許請求の範囲】
【請求項１】
名刺として切り取ることができるようにミシン目が設けられた両面印刷が可能な名刺印刷用シートであって、前記名刺印刷用シートは印字面の裏面側に粘着剤層を備える貼着シートと、前記貼着シートの粘着剤層に添着される離型シートとを有し、前記離型シートの前記貼着シートとの非添着面側に離型シート印字面を備えたことを特徴とする名刺印刷用シート。
【請求項２】
前記貼着シートから所定形状の貼着性切取片を切り取り自在とするように切り込み線を設けたことを特徴とする請求項１に記載の名刺印刷用シート。
【請求項３】
前記離型シートは、離型剤層と離型シート基材とから構成され、前記離型剤層と離型シート基材との間には補強層を介装したことを特徴とする請求項１又は２に記載の名刺印刷用シート。
【請求項４】
前記離型シートは、名刺となることを特徴とする請求項１乃至３のいずれかに記載の名刺印刷用シート。
【発明の詳細な説明】
【０００１】
【発明の属する技術分野】
本発明は、名刺をプリンタによって印刷する印刷用シートに関し、更に、詳しくは両面に印字することが可能な名刺印刷用シートに関する。
【０００２】
【従来の技術】
従来、インクジェットプリンタやレーザープリンタ等を用いて名刺を印刷するための名刺印刷用シートは、粘着剤層を有する台紙の粘着剤層の表面に名刺を貼着した構成を有しており、プリンタで印刷して名刺を台紙から剥がすというものであり、台紙は捨てられていた。
【０００３】
【発明が解決しようとする課題】
しかしながら、前記名刺印刷用シートの両面に印刷しようとすると、プリンタのローラーや熱によってシートがカールしてしまい、所望の印字品質が得られなかった。
そこで、本発明の名刺印刷用シートはプリンタ通過時にカールしない名刺印刷用シートを提供することを目的とする。
また、本発明の名刺印刷用シートは、両面印刷をすることができ、その両面において優れた印字品質を得ることが可能な名刺印刷用シートを提供することを目的とする。
さらに、本発明の名刺印刷用シートは、貼着シートを有効に活用することができる名刺印刷用シートを提供することを目的とする。
【０００４】
【課題を解決するための手段】
かかる目的を達成すべく、本発明の名刺印刷用シートは、請求項１に記載の通り、名刺として切り取ることができるようにミシン目が設けられた両面印刷が可能な名刺印刷用シートであって、前記名刺印刷用シートは印字面の裏面側に粘着剤層を備える貼着シートと、前記貼着シートの粘着剤層に添着される離型シートとを有し、前記離型シートの前記貼着シートとの非添着面側に離型シート印字面を設けたことを特徴とする。
また、請求項２に記載の名刺印刷用シートは、請求項１に記載の名刺印刷用シートに加え、前記貼着シートから所定形状の貼着性切取片を切り取り自在とするように切り込み線を設けたことを特徴とする。
また、請求項３に記載の名刺印刷用シートは、請求項１又は２に記載の名刺印刷用シートに加え、前記離型シートは、離型剤層と離型シート基材とから構成され、前記離型剤層と離型シート基材との間には補強層を介装したことを特徴とする。
また、請求項４に記載の名刺印刷用シートは、請求項１乃至３のいずれかに記載の名刺印刷用シートにおいて、前記離型シートは、名刺となることを特徴とする。
【０００５】
【発明の実施の形態】
本発明の名刺印刷用シートは貼着シートと離型シートからなり、該貼着シートは、一般的には、基材と粘着剤層とで構成されるもので、前記基材としては、例えば、上質紙、コート紙、再生紙等の各種紙材及びポリエチレン系樹脂、ポリプロピレン系樹脂、ポリエステル系樹脂、ポリカーボネート系樹脂、ポリスチレン系樹脂、アクリル系樹脂等からなる各種樹脂フィルムが挙げられる。尚、基材の厚さは２５〜２００μｍとすることが好ましい。
【０００６】
また、前記粘着剤層を形成する粘着剤としては、ゴム系粘着剤、アクリル系粘着剤、シリコーン系粘着剤等が挙げられる。尚、粘着剤の粘着力は、特に限定されないが、例えば、名刺用シールとして用いる場合、その粘着力は、２Ｎ／ｃｍ〜３０Ｎ／ｃｍ程度とするのが好ましい。粘着剤層の厚さは、１０〜５０μｍとすることが好ましい。
【０００７】
また、前記基材の粘着剤層の反対側に備えられる印字面には、印字に使用されるプリンタの種類に応じて印字層を形成してもよく、例えば、インクジェットプリンタであればインク受容層を、レーザープリンタであればトナー定着層を、感熱プリンタであれば感熱発色層又は感熱インク受容層等を形成すればよい。また、既に印字面を形成したインクジェット用紙、レーザープリンタ用紙、感熱紙等を用いてもよい。尚、基材そのものが印字適性を有していれば特に印字層を形成しなくてもよい。
【０００８】
また、離型シートは、例えば、上質紙、コート紙、再生紙、グラシン紙等の各種紙材を離型シート基材とし、この離型シート基材に、例えば、シリコーン系樹脂、長鎖アルキル系樹脂、フッ素系樹脂等によって離型処理して離型剤層を形成する。尚、離型シート基材の厚さは、５０〜２００μｍとすることが好ましい。前記離型シート基材層と離型剤層との間には、印字時に基材がカールしないようにするために補強層を設けてもよい。補強層としては、ポリエチレン樹脂、ポリプロピレン樹脂、ポリエステル樹脂等のフィルムが好ましい。このように補強層を設けることにより、プリンタ通過時の情報表示体のカールの発生を防止することができる。尚、補強層の厚さは、５〜５０μｍとすることが好ましい。
尚、離型シートには、例えば、離型シート基材層と離型剤層との間に、粘着剤層の有機成分が離型シート基材層側へ移行するのを阻止するバリア層等を設けるようにしてもよい。もちろん、前記補強層をバリア層として構成してもよい。
【０００９】
また、前記離型シート基材の離型剤層の反対側に設けられる離型シート印字面は、前述の貼着シートの印字面同様、印字に使用されるプリンタの種類に応じて適宜形成すればよい。
【００１０】
名刺用印刷シートは、名刺として切り取るためにミシン目を設けたが、名刺の形状としては正方形、長方形等が挙げられるが、これに限定されない。尚、ミシン目としてはミシン目の切り込み部の長さ１ｍｍ以下であり、かつ切り込み部と切り込み部の間隔が１ｍｍ以下であるものが、切り取り後の名刺の切り取った辺が滑らかとなり好ましい。
また、各名刺の貼着シートには、顔写真やＥメールアドレス等を記載したシール（貼着性切取片）として使用するために切り込み線を設けることができる。切り込み線は、その部分が切り取ることができるものであれば特に限定されるものではないが、例えば、円状、楕円状、正方形状、長方形、星形状等に設けることができる。
【００１１】
前記貼着シートの厚さは、５０〜２００μｍとすることが好ましく、前記離型シートの厚さは、５０〜２００μｍとすることが好ましい。また、名刺印刷用シート全体の厚さは、３００μｍを超えるとプリンタの給紙上支障が生じるため３００μｍ以下とすることが好ましい。
【００１２】
【実施例】
以下に、図面を用いて本発明の名刺印刷用シートの実施例について説明する。
図１は、本発明の一実施例の名刺印刷用シート３０を示すものである。
本実施例の名刺印刷用シート３０は、Ａ４サイズの離型シートに同じサイズの貼着シートを添着して構成する。前記名刺印刷用シート３０には、縦５．５ｃｍ×横９．１ｃｍの長方形状の名刺１０枚が得られるように、ミシン目１が設けられており、このミシン目１の切り込み部の長さを０．８ｍｍ、切り込み部の間隔を０．８ｍｍとしている。
図２に示すように、貼着シート１０は、印字面１５側から順に、厚さ２０μｍのインクジェット用インク受容層１１、厚さ８０μｍの上質紙からなる基材１２及び厚さ１５μｍのアクリル粘着剤からなる粘着剤層１３を積層することによって構成されている。
また、離型シート２０は、前記貼着シート１０の接合面から順に、離型剤層を形成する厚さ０．４μｍのシリコーン樹脂層２１、厚さ１８μｍのポリエチレンシート補強層２２、厚さ８０μｍの上質紙からなる離型シート基材２３及び離型シート印字面２５を構成する厚さ２０μｍのインクジェット用インク受容層２４を積層することによって構成されている。
貼着シート１０の印字面１５には、図３に示すように、上部左側に縦２．３ｃｍ×横２．６ｃｍの長方形状のシール４、上部中央に縦２．６ｃｍ×横２．９ｃｍの長方形状シール５、上部右側に一辺の長さが２．１ｃｍの正方形状のシール６が切り取ることができるように切り込み線２、２、２が設けられており、印字面１５の下部左側に縦０．９ｃｍ×横３．３ｃｍの長方形状のシール７及び下部右側に、縦０．９ｃｍ×横３．６ｃｍの長方形状のシール８が切り取ることができるように切り込み線２、２が設けられている。
【００１３】
本実施例の名刺印刷用シートは、次のようにして使用される。名刺印刷用シートにインクジェットプリンタを用いて、図４（ａ）に示すように貼着シート１０のシール４、５、６となる印字面１５に名刺を使用する人の顔写真、シール７となる印字面にその人のＥメールアドレス、シール８となる印字面にその人の所属する会社のホームページＵＲＬを印字し、同図（ｂ）に示すように離型シート２０の離型シート印字面２５に、名刺となるように会社名、氏名、住所、電話番号等の必要な情報を印字する。そして、ミシン目１によって名刺サイズに切り取って、名刺として使用する。また、名刺を渡された相手は、必要に応じて名刺の裏面の貼着性切取片である顔写真のシール４、５、６やＥメールアドレスのシール７やホームページＵＲＬのシール８を剥がし手帳や名簿等に貼着する。
【００１４】
尚、上記実施例において、貼着シートには、名刺を使用する人の顔写真、Ｅメールアドレス及びホームページＵＲＬを印字するようにしたが、必ずしもこれらに限定されるものでなく、カレンダーや電話番号等を印字するようにしてもよい。
【００１５】
【発明の効果】
本発明の名刺印刷用シートによれば、従来、貼着シートが添着された離型シートは、貼着シートを剥がした後に廃棄されていたが、この離型シートに印字面を設けて名刺として利用することができるようにしたので、紙資源を有効に活用することができる。また、貼着シートには、名刺を使用する人の顔写真、Ｅメールアドレス、ホームページＵＲＬ等を印刷し、切り取り線を設けて貼着性切取片とすることにより、名刺を渡した相手の手帳、パソコン、電話等種種の媒体に貼着性切取片を貼着させるようにすれば宣伝効果が得られる。
また、本発明の名刺印刷用シートによれば、離型剤層と離型シート基材との間に補強層を介装した離型シートに貼着シートが添着されている場合、両面に印字してもシートがカールしたりすることがなく、両面において所望の品質の印字が得られ、得られた名刺シートは外観上優れたものとなる。
【図面の簡単な説明】
【図１】本発明の一実施例である名刺印刷用シートの説明図
【図２】図１のＡ−Ａ断面図
【図３】（ａ）本発明の一実施例である名刺印刷用シートを構成する貼着シートの説明図（ｂ）同実施例を構成する離型シートの説明図
【図４】（ａ）本発明の一実施例である名刺印刷用シートを構成する貼着シートの印刷後の説明図（ｂ）同実施例を構成する離型シートの印刷後の説明図
【符号の説明】
１　ミシン目
２　切り込み線
４　シール
５　シール
６　シール
７　シール
８　シール
１０　貼着シート
１１　インクジェット用インク受容層
１２　基材
１３　粘着剤層
１５　印字面
２０　離型シート
２１　シリコーン樹脂層
２２　補強層
２３　離型シート基材
２４　インクジェット用インク受容層
２５　離型シート印字面
３０　名刺印刷用シート
【図１】
2004034473.tif 000003
【図２】
2004034473.tif 000004
【図３】
2004034473.tif 000005
【図４】
2004034473.tif 000006